(57)【要約】【課題】ユーザに対面する面の反対面側にいる人に対して有効に情報を出力することができる電子機器を提供する。【解決手段】電子機器は、操作者に対面する側に表示面が配置されている第１表示部と、記第１表示部に対して反対面となる側に表示面が配置されている第２表示部と、第１表示部および第２表示部それぞれの表示を制御する表示制御部と、第２表示部に表示させた情報に関する履歴情報を生成する履歴情報生成部と、を備える。【選択図】図１
2013190463.tif 000002
【特許請求の範囲】
【請求項１】
操作者に対面する側に表示面が配置されている第１表示部と、
前記第１表示部に対して反対面となる側に表示面が配置されている第２表示部と、
前記第１表示部および前記第２表示部それぞれの表示を制御する表示制御部と、
前記第２表示部に表示させた情報に関する履歴情報を生成する履歴情報生成部と、
を備えることを特徴とする電子機器。
【請求項２】
前記第２表示部の表示面を視認可能な人がいるか否かを検出する検出部、
を備え、
前記表示制御部は、
前記検出部の検出結果に基づいて、前記第２表示部の表示を制御する
ことを特徴とする請求項１に記載の電子機器。
【請求項３】
前記表示制御部は、
前記検出部により前記第２表示部の表示面を視認可能な人がいると検出された場合、前記第２表示部に情報を表示させる
ことを特徴とする請求項２に記載の電子機器。
【請求項４】
前記表示制御部は、
前記検出部により前記第２表示部の表示面を視認可能な人がいると検出されている期間、前記第２表示部に情報を表示させる
ことを特徴とする請求項３に記載の電子機器。
【請求項５】
前記履歴情報生成部は、
前記履歴情報として、前記第２表示部に情報を表示させていた表示時間を示す情報、および表示させた表示回数を示す情報の何れかを生成する
ことを特徴とする請求項３または４に記載の電子機器。
【請求項６】
前記第２表示部に対面する方向を撮像する撮像部、
を備え、
前記検出部は、
前記撮像部により撮像された画像に基づいて、前記第２表示部の表示面を視認可能な人がいるか否かを検出する
ことを特徴とする請求項３から５の何れか一項に記載の電子機器。
【請求項７】
前記検出部は、
前記画像から顔および眼の少なくとも一方の画像を検出し、当該検出した結果に基づいて、前記第２表示部の表示面を視認可能な人がいるか否かを判定する
ことを特徴とする請求項６に記載の電子機器。
【請求項８】
前記検出部は、
前記画像に基づいて前記第２表示部の表示面に対する視線があるか否かを検出し、
前記履歴情報生成部は、
前記履歴情報として、前記第２表示部に情報を表示させていた表示時間のうち、前記検出部により前記第２表示部の表示面に対する視線があると検出されていた時間を示す情報を生成する
ことを特徴とする請求項６または７に記載の電子機器。
【請求項９】
前記表示制御部は、
前記検出部により前記第２表示部の表示面に対する視線があると検出された場合、前記第２表示部の表示面に対する視線があることを示す情報を前記第１表示部に表示させる
ことを特徴とする請求項８に記載の電子機器。
【請求項１０】
前記検出部は、
前記画像から検出した顔または眼の画像に基づいて、前記第２表示部の表示面に対する視線があるか否かを検出する
ことを特徴とする請求項８または９に記載の電子機器。
【請求項１１】
前記検出部は、
前記画像から検出した顔または眼の画像に基づいて、前記第２表示部の表示面を視認している人数を検出し、
前記履歴情報生成部は、
前記履歴情報として、前記第２表示部に表示させた情報を視認している人数を示す情報を生成する
ことを特徴とする請求項６から１０の何れか一項に記載の電子機器。
【請求項１２】
前記検出部は、
前記画像から検出した少なくとも顔の画像に基づいて、前記第２表示部の表示面を視認可能な人の性別、および推定年齢のうちの何れかを検出する
ことを特徴とする請求項６から１１の何れか一項に記載の電子機器。
【請求項１３】
複数の情報から前記第２表示部に表示させる情報を選択する表示情報選択部
を備え、
前記表示制御部は、
前記表示情報選択部により選択された情報を第２表示部に表示させる
ことを特徴とする請求項３から１２の何れか一項に記載の電子機器。
【請求項１４】
前記検出部は、
前記第２表示部の表示面を視認可能な人の性別、および推定年齢のうちの何れかを検出し、
前記表示情報選択部は、
前記検出した視認可能な人の性別および推定年齢のうちの何れかを示す情報に基づいて、複数の情報から前記第２表示部に表示させる情報を選択する
ことを特徴とする請求項１３に記載の電子機器。
【請求項１５】
前記表示情報選択部は、
前記表示制御部が前記第１表示部に表示させた情報に基づいて、複数の情報から前記第２表示部に表示させる情報を選択する
ことを特徴とする請求項１３または１４に記載の電子機器。
【請求項１６】
前記表示情報選択部は、
ユーザの操作入力により選択された情報を、前記第２表示部に表示させる情報として選択する
ことを特徴とする請求項１３から１５の何れか一項に記載の電子機器。
【請求項１７】
前記表示情報選択部は、
前記第２表示部に情報を表示することにより得られる収入の金額を示す収入金額情報に基づいて、前記第２表示部に表示させる情報を選択する
ことを特徴とする請求項１３から１６の何れか一項に記載の電子機器。
【請求項１８】
前記第２表示部に情報を表示することにより得られる収入に関する情報である収入情報を管理する収入管理部、
を備え、
前記収入管理部は、
前記収入金額情報と前記履歴情報とに基づいて、前記第２表示部に表示させる情報を配信する配信元に請求する金額を示す請求金額情報を生成する
ことを特徴とする請求項１７に記載の電子機器。
【請求項１９】
前記収入管理部は、
前記請求金額情報を前記配信元に対して送信するとともに、前記請求金額情報に応じて前記配信元から入金された金額を示す入金情報を取得することにより、前記請求金額情報と前記入金情報とに基づいて前記収入情報を管理する
ことを特徴とする請求項１８に記載の電子機器。
【請求項２０】
通信網を介して情報を取得する通信部、
を備え、
前記表示情報選択部は、
前記通信網を介して接続される外部機器が有する複数の情報から前記通信部により取得する情報を、前記第２表示部に表示させる情報として選択する
ことを特徴とする請求項１３から１９の何れか一項に記載の電子機器。
【請求項２１】
前記外部機器は、
前記通信網を介して接続されるサーバ、および移動体に設置された情報端末の何れかを含む
ことを特徴とする請求項２０に記載の電子機器。
【請求項２２】
前記通信網を介して取得した情報の種類が、緊急事態が発生した際に通知される緊急時情報であるか否かを判定する情報判定部、
を備え、
前記表示制御部は、
前記情報判定部により前記取得した情報が前記緊急時情報であると判定された場合、
前記第２表示部に情報が表示されているか否かにかかわらず、前記緊急時情報を前記第２表示部に表示させる
ことを特徴とする請求項２０または２１に記載の電子機器。
【請求項２３】
音を出力する音出力部と、
音出力部の出力を制御する音出力制御部と、
を備え、
前記音出力制御部は、
前記情報判定部により前記取得した情報が前記緊急時情報であると判定された場合、前記第２表示部に前記緊急時情報を表示することを報知する報知音を音出力部に出力させる
ことを特徴とする請求項２２に記載の電子機器。
【請求項２４】
前記第２表示部に表示させる情報は、宣伝広告を目的とした情報である宣伝広告情報である
ことを特徴とする請求項１から２３の何れか一項に記載の電子機器。
【請求項２５】
自機器が操作者により把持されている位置である把持位置を検出する把持位置検出部、
を備え、
前記表示制御部は、
前記把持位置検出部により検出された把持位置に基づいて、前記第２表示部における表示面の表示領域のうち、把持されている位置を中心として予め定められた領域を除く表示領域に情報を表示させる
ことを特徴とする請求項１から２４の何れか一項に記載の電子機器。
【請求項２６】
操作者に対面する側に表示面が配置されている第１表示部と、前記第１表示部に対して反対面となる側に表示面が配置されている第２表示部と、を備える電子機器が有するコンピュータに、
前記第１表示部および前記第２表示部それぞれの表示を制御する表示制御ステップと、
前記第２表示部に表示させた情報に関する履歴情報を生成する履歴情報生成ステップと、
を実行させるためのプログラム。
【発明の詳細な説明】
【技術分野】
【０００１】
本発明は、電子機器、およびプログラムに関する。
【背景技術】
【０００２】
店舗や展示会場に設置されて電子広告等の情報を表示する電子機器がある（例えば、特許文献１参照）。
【先行技術文献】
【特許文献】
【０００３】
【特許文献１】特開２００３−１７３１４８号公報
【発明の概要】
【発明が解決しようとする課題】
【０００４】
しかしながら、特許文献１に示す電子機器にあっては、その電子機器に設けられた１つの表示面側からのみしか表示された情報を視ることができなかった。
【０００５】
本発明は、このような事情に鑑みてなされたもので、その目的は、ユーザに対面する面の反対面側にいる人に対して有効に情報を出力することができる電子機器、およびプログラムを提供することにある。
【課題を解決するための手段】
【０００６】
この発明は上述した課題を解決するためになされたもので、本発明は、操作者に対面する側に表示面が配置されている第１表示部と、前記第１表示部に対して反対面となる側に表示面が配置されている第２表示部と、前記第１表示部および前記第２表示部それぞれの表示を制御する表示制御部と、前記第２表示部に表示させた情報に関する履歴情報を生成する履歴情報生成部と、を備えることを特徴とする電子機器である。
【０００７】
また、本発明は、操作者に対面する側に表示面が配置されている第１表示部と、前記第１表示部に対して反対面となる側に表示面が配置されている第２表示部と、を備える電子機器が有するコンピュータに、前記第１表示部および前記第２表示部それぞれの表示を制御する表示制御ステップと、前記第２表示部に表示させた情報に関する履歴情報を生成する履歴情報生成ステップと、を実行させるためのプログラムである。
【発明の効果】
【０００８】
この発明によれば、ユーザに対面する面の反対面側にいる人に対して有効に情報を出力することができる。
【図面の簡単な説明】
【０００９】
【図１】この発明の一実施形態による電子機器の概略構成を示す模式図である。
【図２】この発明の一実施形態による電子機器の構成を示す概略ブロック図である。
【図３】第２撮像部により撮像された第２画像に基づいて、電子機器の裏面に対面する方向の人を検出する処理を説明する図である。
【図４】電子機器における裏面の表示処理の第１例を示すフローチャートである。
【図５】電子機器の裏面側の第２表示部の表示例を示す図である。
【図６】履歴情報を生成する処理の第１例を示すフローチャートである。
【図７】履歴情報を生成する処理の第２例を示すフローチャートである。
【図８】履歴情報を生成する処理の第３例を示すフローチャートである。
【図９】外部機器と通信網を介して接続されるシステムの一例を示す図である。
【図１０】サーバから取得したコンテンツを表示する処理の動作の一例を示す図である。
【図１１】視認可能な人の性別および推定年齢に基づいて取得したコンテンツを表示する処理の動作の一例を示す図である。
【図１２】コンテンツ収入の金額情報に基づいて、表示するコンテンツを選択可能にする処理の動作の一例を示す図である。
【図１３】履歴情報に基づいて収入情報を管理する処理の動作の一例を示す図である。
【図１４】緊急時情報を受信した場合の動作の一例を示すフローチャートである。
【図１５】把持状態に基づく表示領域の一例を示す図である。
【発明を実施するための形態】
【００１０】
以下、図面を参照して、本発明の実施の形態について説明する。図１は、この発明の一実施形態による電子機器１００の概略構成を示す模式図である。
図１（ａ）は、例えば電車の車内において、椅子に座っている視認者Ｂの前にユーザＡ（操作者）が立っており、このユーザＡによって電子機器１００が把持されている様子を示した一例である。
【００１１】
電子機器１００は、両面に表示部を有するタブレット型の電子機器である。電子機器１００は、互いに表裏の位置関係にある第１面１０１（第１筐体面）と第２面１０２（第２筐体面）とを備えている。この図では、ユーザＡ（操作者）に対面する側の面が第１面１０１（ユーザＡにとっての表面）であり、第１面１０１に対して反対面となる面（視認者Ｂに対面する側の面）が第２面１０２（ユーザＡにとっての裏面）である。
【００１２】
また、図１（ｂ）は、電子機器１００の第１面１０１を示す図であり、図１（ｃ）は、電子機器１００の第２面１０２を示す図である。
図１（ｂ）、（ｃ）に示すように、電子機器１００は、第１面１０１に表示面が配置されている第１表示部２１と、第２面１０２に表示面が配置されている第２表示部２２と、を備えている。すなわち、電子機器１００は、互いに表裏の位置関係に配置されている第１表示部２１および第２表示部２２を備えており、両面に情報または画像等を表示可能である。
【００１３】
第１表示部２１および第２表示部２２は、操作入力用として、接触式の操作入力部（タッチパネル式の入力部）を備えている。例えば、この操作入力部は、第１表示部２１および第２表示部２２のそれぞれの表示面上における接触状態を検出する表示面接触センサとして、第１表示部２１の表示面上に配置された第１表示面接触センサ３３と、第２表示部２２の表示面上に配置された第２表示面接触センサ３４と、を備えている。
なお、上記表示面接触センサは、表示面上のみに限らず、第１面１０１および第２面１０２のそれぞれの面上における接触状態を検出する構成としてもよい。
【００１４】
また、電子機器１００は、第１撮像部１１と第２撮像部１２とを備えている。第１撮像部１１は、第１面１０１に配置され、第１表示部２１の表示面に対面する方向を撮像する。また、第２撮像部１２は、第２面１０２に配置され、第２表示部２２の表示面に対面する方向を撮像する。
【００１５】
ユーザＡは、第１面１０１側の第１表示部２１に表示された情報を視認するとともに、第１面１０１側を主な操作面として、第１表示部２１の表面上に配置された第１表示面接触センサ３３により操作入力を行う。このとき、電子機器１００の第２面１０２側の第２表示部２２は、ユーザＡに対面する面（表面）に対して裏面となるため、ユーザＡにとって視認されない表示部である。
【００１６】
本実施形態の電子機器１００は、このユーザＡにとって裏面となる第２表示部２２に、裏面側にいる人、例えば図１（ａ）に示す視認者Ｂに対して、情報を表示するものである。
【００１７】
なお、両面に表示部を備えている電子機器１００のユーザＡに対する表面（第１面１０１）と裏面（第２面１０２）とは、電子機器１００において予め定められていてもよい。すなわち、電子機器１００は、ユーザＡが主に使用する表示面または操作面（表面）と、ユーザＡが主に使用しない表示面または操作面（裏面）と、が予め定められている機器であってもよい。
【００１８】
また、電子機器１００は、第１撮像部１１または第２撮像部１２により撮像された画像に基づいて、ユーザＡに対面する面、またはユーザＡに対面する面に対して反対面となる面を検出する構成としてもよい。例えば、電子機器１００は、第１撮像部１１または第２撮像部１２により撮像された画像から検出した顔の画像に基づいて、ユーザＡに対面する面、またはユーザＡに対面する面に対して反対面となる面を検出してもよい。また、電子機器１００は、ユーザＡにより把持されている把持状態（把持位置）を検出することにより、検出した把持状態（把持位置）に基づいてユーザＡに対面する面、またはユーザＡに対面する面に対して反対面となる面を検出してもよい。
【００１９】
以下の記述において、ユーザＡ（操作者）に対面する側の面を第１面１０１（表面）とし、第１面１０１（表面）に対して反対面となる面（視認者Ｂに対面する側の面）を第２面１０２（裏面）として説明する。
【００２０】
＜電子機器の構成＞
次に、図２を参照して、電子機器１００の構成について説明する。
図２は、この発明の一実施形態による電子機器１００の構成を示す概略ブロック図である。なお、図２において図１の各部に対応する部分には同一の符号を付けている。
【００２１】
図２に示す電子機器１００は、撮像部１０と、表示部２０と、操作入力部３０と、検出部４０と、制御部５０と、音出力部４と、記憶部５と、通信部６と、バス９とを備えている。
【００２２】
撮像部１０は、第１面１０１に配置されている第１撮像部１１と、第２面１０２に配置されている第２撮像部１２と、を備えている。例えば、第１撮像部１１および第２撮像部１２のそれぞれは、不図示であるが、光学レンズと、光学レンズを介して入力される被写体光束（光学像）を撮像する撮像素子と、当該撮像素子に撮像された撮像データをデジタル画像データとして出力する撮像信号処理部と、を有している。また、撮像部１０は、後述する制御部５０が備えている撮像制御部５１により制御される。
【００２３】
表示部２０は、第１面１０１に表示面が配置されている第１表示部２１と、第２面１０２に表示面が配置されている第２表示部２２と、を備えている。第１表示部２１および第２表示部２２は、例えば、液晶ディスプレイであって、情報または画像をそれぞれ表示する。また、表示部２０は、タッチパネルであって、第１表示部２１の表示面上に第１表示面接触センサ３３が設けられ（配置され）、第２表示部２２の表示面上に第２表示面接触センサ３４が設けられ（配置され）ている。なお、第１表示面接触センサ３３と第２表示面接触センサ３４は、操作入力部３０が備えている構成である。
【００２４】
操作入力部３０は、第１面１０１に配置されている第１操作入力部３１と、第２面１０２に配置されている第２操作入力部３２とを備えている。例えば、第１操作入力部３１は、第１表示部２１の表示面上における接触状態を検出する第１表示面接触センサ３３を備えている。また、第２操作入力部３２は、第２表示部２２の表示面上における接触状態を検出する第２表示面接触センサ３４を備えている。
【００２５】
ここで、表示面接触センサ（第１表示面接触センサ３３および第２表示面接触センサ３４）は、タッチパネル方式の操作入力デバイスであって、例えば、静電容量方式の接触センサである。なお、表示面接触センサは、静電容量方式に代えて、電磁誘導方式、赤外線方式、表面弾性波方式、抵抗膜方式、マトリクス・スイッチ方式、等としてもよい。また、表示面接触センサは、例えば、同時に複数個所の接触を検出することができる多点入力可能な、所謂マルチタッチパネル方式としてもよい。
【００２６】
検出部４０は、視認者検出部４１と、姿勢検出部４２と、把持位置検出部４３と、を備えている。
【００２７】
視認者検出部４１は、第２撮像部１２により撮像された第２画像に基づいて、電子機器１００の第２面１０２（裏面）に対面する方向（側）に、第２表示部２２の表示面を視認可能な人がいるか否かを検出する。例えば、視認者検出部４１は、第２撮像部１２により撮像された第２画像から顔および眼の少なくとも一方の画像を検出する。そして、視認者検出部４１は、この検出した結果に基づいて、第２表示部２２の表示面（第２面１０２）を視認可能な人がいるか否かを検出する。
【００２８】
なお、視認者検出部４１は、撮像された第２画像から顔または眼を検出する場合、例えば、顔または眼の形状や特徴をテンプレートとして予め記憶しておき、撮像された画像に対してテンプレートマッチングすることにより顔または眼を検出する。
【００２９】
図３は、第２撮像部１２により撮像された第２画像に基づいて、電子機器１００の裏面に対面する方向の人を検出する処理を説明する図である。
図３（ａ）は、図１（ａ）に示す図の詳細を説明する図であり、電子機器１００の第１面１０１に対面する方向にいるユーザＡが電子機器１００を把持している状態を示している。ユーザＡは電子機器１００の第１面側の表示部や操作入力部を使用する。これに対して、電子機器１００の第２面１０２に対面する方向には、第２表示部２２を視認可能な視認者Ｂがいる。
【００３０】
第２撮像部１２は、第２表示部２２の表示面に対面する方向を撮像する。すなわち、図３（ａ）において、第２撮像部１２は、電子機器１００に対して視認者Ｂがいる方向を撮像する。
【００３１】
この撮像された第２画像の例を図３（ｂ）に示す。図３（ｂ）は、第２撮像部１２によって撮像された第２画像の一例であって、画像領域内に視認者Ｂが撮像されていることを示している。視認者検出部４１は、第２画像から視認者Ｂの顔または眼の画像を検出する。例えば、視認者検出部４１は、第２画像から検出した顔または眼の画像の、第２画像の画像領域に対する大きさまたは位置に基づいて、第２表示部２２の表示面を視認可能な人がいるか否かを判定する。また、視認者検出部４１は、検出結果を制御部５０に出力する。
【００３２】
この図３（ｂ）においては、視認者検出部４１は、第２画像の画像領域に対する第２画像から検出した顔（顔画像）の大きさまたは位置（符号Ｇ１参照）に基づいて、検出された顔の人（視認者Ｂ）が第２表示部２２の表示面を視認可能な位置にいることを検出する。例えば、視認者検出部４１は、第２画像の画像領域に対する第２画像から検出した視認者Ｂの顔（顔画像）の大きさに基づいて、電子機器１００の第２面１０２に対する視認者Ｂの距離が第２表示部２２の表示面を視認可能な距離であることを検出する。また、視認者検出部４１は、第２画像の画像領域に対する第２画像から検出した視認者Ｂの顔（顔画像）の位置に基づいて、電子機器１００の第２面１０２に対する視認者Ｂのいる方向が第２表示部２２の表示面を視認可能な方向であることを検出する。
【００３３】
一方、図３（ｃ）は、第２表示部２２の表示面を視認可能な人がいない場合の第２画像の例を示している。第２画像内に撮像されている人Ｃが電子機器１００の第２面１０２に対して後ろ向きの姿勢であるため、視認者検出部４１は、人Ｃの画像から顔の画像を検出しない。また、視認者検出部４１は、第２画像内に撮像されている人Ｄの顔の画像を検出する。しかし、視認者検出部４１は、第２画像の画像領域に対する第２画像から検出した人Ｄの顔（顔画像）の大きさ（符号Ｇ２参照）に基づいて、検出された人Ｄが第２表示部２２の表示面を視認可能な位置にいない（視認可能な位置よりも遠い距離にいる）ことを検出する。
すなわち、図３（ｃ）においては、視認者検出部４１は、第２表示部２２の表示面を視認可能な人がいないことを検出（視認可能な人がいないと判定）する。
【００３４】
なお、視認者検出部４１は、例えば予め定められた閾値と、検出した顔の画像の大きさまたは位置と、を比較することにより、第２表示部２２の表示面を視認可能な人がいるか否かを検出（判定）する。ここで、予め定められた閾値とは、例えば、第２表示部２２の表示面を視認可能であるか否かを判定するために予め定められた、第２画像の画像領域に対する顔の画像の大きさの閾値、または第２画像の画像領域に対する顔の画像の位置の閾値である。
【００３５】
なお、視認者検出部４１は、検出した顔の大きさまたは位置に代えて、検出した眼の大きさまたは位置に基づいて、第２表示部２２の表示面を視認可能な人がいるか否かを検出（判定）してもよい。また、なお、視認者検出部４１は、検出した顔の大きさまたは位置と、検出した眼の大きさまたは位置との両方に基づいて、第２表示部２２の表示面を視認可能な人がいるか否かを検出（判定）してもよい。
【００３６】
このように、視認者検出部４１は、第２撮像部１２により撮像された第２画像に基づいて、第２表示部２２の表示面（第２面１０２）に対面する方向に視認可能な人（例えば視認者Ｂ）がいるか否かを検出（判定）する。
【００３７】
さらに、視認者検出部４１は、撮像された第２画像に基づいて、第２表示部２２の表示面に対する視線があるか否かを検出する。例えば、視認者検出部４１は、第２画像から検出した顔または眼の画像に基づいて、第２表示部の表示面に対する視線があるか否かを検出（判定）する。
【００３８】
例えば、視認者検出部４１は、検出した顔の画像領域のうちの眼の画像の位置に基づいて、第２表示部２２の表示面に対する顔の向きを検出する。そして、視認者検出部４１は、検出した顔の向きに基づいて、第２表示部２２の表示面に対して視線があるか否かを検出（判定）する。
【００３９】
なお、視認者検出部４１は、検出した眼の画像領域のうちの眼球の画像の位置に基づいて、第２表示部２２の表示面に対する視線方向を検出してもよい。そして、視認者検出部４１は、検出した視線方向に基づいて、第２表示部２２の表示面に対して視線があるか否かを検出（判定）してもよい。
【００４０】
また、視認者検出部４１は、第２画像から検出した顔または眼の画像に基づいて、第２表示部２２の表示面を視認している人数を検出してもよい。また、視認者検出部４１は、第２画像から検出した顔または眼の画像に基づいて、第２表示部２２の表示面を視認可能な人の性別、および推定年齢のうちの何れかを検出してもよい。
【００４１】
図２に戻り、姿勢検出部４２は、電子機器１００の姿勢を検出する。例えば、姿勢検出部４２は、加速度センサ、角速度センサ、傾斜センサ、または、地磁気センサ等を有しており、水平面に平行な面に含まれる互いに直交するＸ軸，Ｙ軸、および水平面に直交するＺ軸により定まる３次元空間における位置や角度により示される電子機器１００の姿勢や動きを検出する。また、姿勢検出部４２は、検出した電子機器１００の姿勢や動きを制御部５０に出力する。
【００４２】
把持位置検出部４３は、電子機器１００がユーザにより把持されている位置を把持位置として検出する。例えば、把持位置検出部４３は、第１表示部２１の表示面上における接触状態（接触位置）を検出する第１表示面接触センサ３３と、第２表示部２２の表示面上における接触状態（接触位置）を検出する第２表示面接触センサ３４と、によって検出されるそれぞれの表示面上における接触状態（接触位置）に基づいて、把持位置を検出する。これにより、把持位置検出部４３は、例えば、電子機器１００がユーザＡの手により把持されている場合の把持位置を検出する。
なお、把持位置検出部４３は、上述の把持位置に基づいて（指の接触位置、接触状態等に基づいて）、電子機器１００の第１面１０１および第２面のうちの何れの面が、ユーザＡに対面する面、またはユーザＡに対面する面に対して反対面となる面であるかを検出してもよい。
【００４３】
音出力部４は、例えばスピーカーを有しており、制御部５０の制御により、音声、操作音、報知音、または警告音等を出力する。なお、記憶部５に音声ファイルまたは音楽ファイル等が記憶されており、これらのファイルが制御部５０の制御により読み出されて再生された音を、音出力部４は出力してもよい。
【００４４】
記憶部５には、表示部２０に表示させる情報、音出力部４から出力する音データ等が記憶されている。例えば、記憶部５には、表示部２０に表示させる情報として、画像、文字またはアイコン等による情報、メニュー画面等、のデータが記憶されている。この記憶部５に記憶されている情報は、制御部５０の制御によって読み出される。
【００４５】
通信部６は、通信網を介して接続された電子機器（外部機器）から情報を取得するとともに、接続された電子機器に対して情報を送信する。通信部６は、例えば、電子機器間で通信可能な通信処理Ｂｌｕｅｔｏｏｔｈ（登録商標）、Ｗｉ−Ｆｉ（Ｗｉｒｅｌｅｓｓ  Ｆｉｄｅｌｉｔｙ、登録商標）、携帯電話の通信規格、等の規格に対応する。ここで、通信部６が行う通信は、無線通信であってもよいし、有線通信であってもよい。
また、通信部６は、通信網を介して接続された電子機器（外部機器）との間で、予め決められた所定のプロトコルによる通信を確立し、機器情報、ユーザ情報、コマンド、或いはコンテンツ等の送受信等を行う。
【００４６】
制御部５０は、撮像制御部５１と、表示制御部５２と、音出力制御部５３と、操作入力制御部５４と、履歴情報生成部５５と、表示情報選択部５６と、情報判定部５７と、収入管理部５８と、を備えている。
撮像制御部５１は、撮像部１０の撮像処理を制御する。例えば、撮像制御部５１は、撮像部１０が備えている各撮像部に撮像させる撮像タイミング信号を出力する。
【００４７】
表示制御部５２は、表示部２０の第１表示部２１および第２表示部２２それぞれの表示を制御する。例えば、表示制御部５２は、表示部２０の各表示部において、情報を表示させる表示領域を設定する処理、各表示部の表示のオン（表示状態）とオフ（非表示状態）とを切り替える処理等を制御する。ここで、各表示部に表示させる情報（表示情報）とは、画像、文字またはアイコン等による情報、メニュー画面等、の何れであってもよい。
【００４８】
また、表示制御部５２は、視認者検出部４１の検出結果に基づいて、第２表示部２２の表示を制御する。例えば、表示制御部５２は、視認者検出部４１により第２表示部２２の表示面を視認可能な人がいると検出された場合、第２表示部２２に情報を表示させる。また、表示制御部５２は、視認者検出部４１により第２表示部２２の表示面を視認可能な人がいると検出されている期間、第２表示部２２に情報を表示させる。
【００４９】
ここで、上述の第２表示部２２に表示させる情報は、例えば、宣伝広告を目的とした情報である宣伝広告情報である。なお、第２表示部２２に表示させる情報は、緊急事態が発生した際に通知される緊急事態に関する情報（緊急時情報）であってもよい。
【００５０】
また、表示制御部５２は、視認者検出部４１により第２表示部２２の表示面に対する視線があると検出された場合、第２表示部２２の表示面に対する視線があることを示す情報をユーザＡに対して報知する。例えば、表示制御部５２は、視認者検出部４１により第２表示部２２の表示面に対する視線があると検出された場合、第２表示部２２の表示面に対する視線があることを示す情報を第１表示部に表示させる。
【００５１】
これにより、電子機器１００は、裏面側の表示部に対する視線があることを検出した場合、視線が裏面側にあることをユーザＡに対して通知することができる。よって、電子機器１００は、視線が裏面側にあることをユーザＡに対して通知することに応じて、裏面側に表示させる情報をユーザＡの操作により選択させることも可能である。
【００５２】
音出力制御部５３は、音出力部４の出力処理を制御する。例えば、音出力制御部５３は、音出力部４に出力させる音声、操作音、報知音、または警告音等を選択して出力させる処理を制御する。
【００５３】
操作入力制御部５４は、操作入力部３０において入力される操作に対する検出処理を制御する。例えば、操作入力制御部５４は、操作入力部が備えている各表示面接触センサの検出領域の変更、検出動作のオン（検出動作状態）とオフ（検出停止状態）との切り替え処理等を制御する。また、操作入力制御部５４は、第１操作入力部３１および第２操作入力部３２の何れから操作入力を検出したかを判定する。
【００５４】
履歴情報生成部５５は、第２表示部２２に表示させた情報に関する履歴情報を生成する。例えば、履歴情報生成部５５は、履歴情報として、第２表示部２２に情報を表示させていた表示時間を示す情報、および表示させた表示回数を示す情報の何れかを生成する。例えば、履歴情報生成部５５は、表示回数を計数するカウンタ、または表示時間を計時するタイマを有している。
【００５５】
なお、履歴情報生成部５５は、履歴情報として、第２表示部２２に情報を表示させていた表示時間のうち、視認者検出部４１により第２表示部２２の表示面に対する視線があると検出されていた時間を示す情報を生成してもよい。また、履歴情報生成部５５は、履歴情報として、第２表示部２２に表示させた情報を視認している人数を示す情報を生成してもよい。
【００５６】
表示情報選択部５６は、複数の情報から第２表示部２２に表示させる情報を選択する。例えば、表示情報選択部５６は、視認者検出部４１が検出した視認可能な人の性別および推定年齢のうちの何れかを示す情報に基づいて、複数の情報から第２表示部２２に表示させる情報を選択する。例えば、表示情報選択部５６は、複数の情報（例えば、宣伝広告情報）から、検出した視認可能な人の性別または推定年齢を対象とした情報（例えば、視認可能な人の性別または推定年齢に対して、提供するのに適した宣伝広告情報）を、第２表示部２２に表示させる情報として選択する。
【００５７】
なお、表示情報選択部５６は、表示制御部５２が第１表示部２１に表示させた情報に基づいて、複数の情報から第２表示部２２に表示させる情報を選択してもよい。例えば、表示情報選択部５６は、ユーザＡの操作により表示制御部５２が第１表示部２１に表示させた情報に関連する情報（例えば、同一種類または同一分野の宣伝広告情報）、第２表示部２２に表示させる情報として選択してもよい。
【００５８】
また、表示情報選択部５６は、表示制御部５２が第１表示部２１に表示させた情報と同じ情報を、第２表示部２２に表示させる情報として選択してもよい。例えば、表示情報選択部５６は、ユーザＡの操作により表示制御部５２が第１表示部２１に表示させた情報（例えば、宣伝広告情報）を、第２表示部２２に表示させる情報として選択してもよい。
【００５９】
なお、表示情報選択部５６は、通信網を介して接続される外部機器から予め取得した情報、記憶媒体により提供された情報、または、印刷物や電子媒体等に表示されたバーコードやマトリクス型二次元コード（例えば、ＱＲコード（登録商標））等を読み取ることにより提供された情報を含む複数の情報から、第２表示部２２に表示させる情報を選択してもよい。
【００６０】
また、表示情報選択部５６は、通信網を介して接続される外部機器が有する複数の情報から通信部６により取得する情報を、第２表示部２２に表示させる情報として選択してもよい。また、表示情報選択部５６は、第２表示部２２に情報を表示することにより得られる収入の金額を示す収入金額情報に基づいて、第２表示部２２に表示させる情報を選択してもよい。
【００６１】
情報判定部５７は、通信部６を介して取得した情報の種類、すなわち第２表示部２２に表示させる情報の種類を判定する。例えば、情報判定部５７は、通信網を介して接続される外部機器から通信部６により取得した情報が、緊急時情報であるか否かを判定する。
【００６２】
収入管理部５８は、第２表示部２２に情報（例えば、宣伝広告情報）を表示することにより得られる収入に関する情報である収入情報を管理する。例えば、収入管理部５８は、第２表示部２２に情報を表示することにより得られる収入の金額を示す収入金額情報と、履歴情報とに基づいて、第２表示部２２に表示させる情報を配信する配信元に請求する金額を示す請求金額情報を生成する。また、収入管理部５８は、請求金額情報を配信元に対して送信するとともに、請求金額情報に応じて配信元から入金された金額を示す入金情報を取得する。そして、収入管理部５８は、請求金額情報と入金情報とに基づいて収入情報を管理する。
【００６３】
バス９は、撮像部１０、表示部２０、音出力部４、操作入力部３０、音入力部３５、検出部４０、制御部５０、音出力部４、記憶部５、および通信部６、に接続され、各部から出力された画像データ、音データ、検出信号、制御信号等を転送する。
【００６４】
（電子機器における裏面の表示処理の動作の説明）
次に、電子機器１００における裏面（第２面１０２）の表示処理の動作について説明する。
図４は、電子機器１００における裏面の表示処理の動作の第１例を示すフローチャートである。この図は、電子機器１００が、裏面側の第２表示部２２を視認可能な人がいる場合、裏面側の第２表示部２２に宣伝広告情報を表示する例を示している。
【００６５】
まず、表示制御部５２は、裏面（第２面１０２）側の第２表示部２２の表示をオフ（非表示状態）に制御している（ステップＳ１）。次に、視認者検出部４１は、第２撮像部１２により撮像された第２画像から顔の画像を検出することにより、裏面側（第２面１０２側、第２表示部２２の表示面に対面する方向）の顔を検出する（ステップＳ５）。続いて、視認者検出部４１は、第２撮像部１２により撮像された第２画像から顔の画像を検出したか否か、すなわち裏面（第２面１０２）側に顔があるか否かを判定する（ステップＳ６）。
【００６６】
ステップＳ６において、裏面（第２面１０２）側に顔がない（顔が検出されなかった）と判定された場合、視認者検出部４１は、ステップＳ１に処理を戻し、第２表示部２２の表示をオフ（非表示状態）に制御したまま、裏面側（第２表示部２２の表示面に対面する方向）の顔を検出する処理（ステップＳ５の処理）を繰り返す。
【００６７】
一方、ステップＳ６において、裏面（第２面１０２）側に顔がある(顔を検出した)と判定された場合、視認者検出部４１は、第２画像から検出した顔の画像に基づいて、第２表示部２２の表示面を視認可能な人（視認者Ｂ）がいるか否かを判定する（ステップＳ８）。
【００６８】
ステップＳ８において、第２表示部２２の表示面を視認可能な人（視認者Ｂ）がいないと判定された場合、視認者検出部４１は、ステップＳ１に処理を戻し、第２表示部２２の表示をオフ（非表示状態）に制御したまま、裏面側の顔を検出する処理（ステップＳ５の処理）、裏面側に顔があるか否かの判定処理（ステップＳ６の処理）、視認可能な人（視認者Ｂ）がいるか否かを判定する処理（ステップＳ８の処理）、を繰り返す。
【００６９】
一方、ステップＳ８おいて、第２表示部２２の表示面を視認可能な人（視認者Ｂ）がいると判定された場合、表示制御部５２は、裏面（第２面１０２）側の第２表示部２２の表示をオン（表示状態）に制御するとともに、宣伝広告情報を表示する（ステップＳ１０）。
【００７０】
このように、視認者検出部４１は、第２撮像部１２により撮像された第２画像から検出した顔の画像に基づいて、第２表示部２２の表示面を視認可能な人（視認者Ｂ）がいるか否かを判定する。また、視認者検出部４１により第２表示部２２の表示面を視認可能な人（視認者Ｂ）がいると判定された場合、表示制御部５２は、裏面（第２面１０２）側の第２表示部２２の表示をオン（表示状態）に制御するとともに、宣伝広告情報を表示する。
【００７１】
これにより、電子機器１００は、裏面（第２面１０２）側の第２表示部２２の表示面に対面する方向に第２表示部２２の表示面を視認可能な人（視認者Ｂ）がいる場合、この視認者Ｂに視認可能なように第２表示部２２に情報（例えば、宣伝広告情報）を表示することができる。
【００７２】
図５は、電子機器１００の裏面側の第２表示部２２の表示例を示す図である。視認者検出部４１により裏面側の第２表示部２２の表示面を視認可能な人（視認者Ｂ）がいると判定された場合、表示制御部５２は、表示をオフ（非表示状態）していた第２表示部２２の表示をオン（表示状態）に制御するとともに、図５に示すように、視認者Ｂに対して提供する情報としての宣伝広告情報を表示する。
【００７３】
（履歴情報を生成する処理の例）
次に、図６を参照して、電子機器１００が裏面側の第２表示部２２に表示させた情報に関する履歴情報を生成する処理の動作について説明する。
図６は、電子機器１００が履歴情報を生成する処理の第１例を示すフローチャートである。この図は、電子機器１００が、第２表示部２２に宣伝広告情報を表示させた回数（表示回数）を履歴情報として生成する処理の一例を示している。なお、図６において、図４の各処理と対応する処理には同一の符号を付け、その説明を省略する。
【００７４】
ステップＳ８おいて、第２表示部２２の表示面を視認可能な人（視認者Ｂ）がいると判定された場合、表示制御部５２は、裏面（第２面１０２）側の第２表示部２２の表示をオン（表示状態）に制御するとともに、宣伝広告情報を表示させる（ステップＳ１０）。
【００７５】
次に、履歴情報生成部５５は、表示回数ｎ（表示回数を計数するカウンタの値）を１増加させる（表示回数ｎ＝ｎ＋１）（ステップＳ１２）。続いて、履歴情報生成部５５は、表示回数ｎにより示される履歴情報を更新する（ステップＳ１６）。
【００７６】
ここで、履歴情報生成部５５は、表示回数ｎをクリア（ｎ＝０）する処理を、例えば、表示する情報の内容が変更された場合、ユーザの操作入力が検出された場合、または、配信元へ履歴情報が送信された場合、等をトリガとして実行する。
【００７７】
このように、履歴情報生成部５５は、第２表示部２２に情報を表示させた回数（表示回数）を、履歴情報として生成する。これにより、電子機器１００は、第２表示部２２に情報を表示させた回数（表示回数）を、履歴情報として生成することができる（表示回数を履歴として残すことができる）。
【００７８】
なお、図６に示す表示回数を履歴情報として生成する処理は、例えば、表示する情報の種類ごと（例えば、宣伝広告情報の内容ごと、宣伝広告情報の配信元ごと、等）の表示回数を、履歴情報として生成してもよい。
【００７９】
また、図６に示す表示回数を履歴情報として生成する処理は、視認可能な人がいると判定した場合に第２表示部２２に表示した回数を表示回数として計数する処理とした。しかし、これに代えて、表示回数を履歴情報として生成する処理は、第２表示部２２に表示した回数のうち、第２表示部２２の表示面に対する視線があると判定された回数を表示回数として計数する処理としてもよい。
【００８０】
次に、図７を参照して、電子機器１００が裏面側の第２表示部２２に情報を表示していた表示時間を示す情報を、履歴情報として生成する処理の動作について説明する。
図７は、電子機器１００が履歴情報を生成する処理の第２例を示すフローチャートである。この図は、電子機器１００が、第２表示部２２に宣伝広告情報を表示していた時間（表示時間）を示す情報を、履歴情報として生成する処理の一例を示している。なお、図７において、図６の各処理と対応する処理には同一の符号を付け、その説明を適宜省略する。
【００８１】
ステップＳ２において、履歴情報生成部５５は、表示時間ｔ（表示時間を計時するタイマの値）をクリア（ｔ＝０）する。次に、視認者検出部４１は、裏面（第２面１０２）側の顔を検出し（ステップＳ５）、裏面（第２面１０２）側に顔があるか否かの判定（ステップＳ６）と、第２表示部２２の表示面を視認可能な人（視認者Ｂ）がいるか否かの判定（ステップＳ８）と、を実行する。
【００８２】
ステップＳ８おいて、第２表示部２２の表示面を視認可能な人（視認者Ｂ）がいると判定された場合、表示制御部５２は、裏面（第２面１０２）側の第２表示部２２の表示をオン（表示状態）に制御するとともに、宣伝広告情報を表示させる（ステップＳ１０）。
【００８３】
次に、履歴情報生成部５５は、ステップＳ１０において表示制御部５２が宣伝広告情報を表示開始させたことをトリガとして、表示時間ｔ（表示時間を計時するタイマの値）の計時を開始する（表示時間ｔ＝＋＋）（ステップＳ１５）。続いて、履歴情報生成部５５は、表示時間ｔにより示される履歴情報を更新する（ステップＳ１６）。
【００８４】
次に、制御部５０は、電子機器１００において電源オフ操作がされたか否かを判定する（ステップＳ１８）。ステップＳ１８において、電源オフ操作がされていないと判定された場合、制御部５０は、ステップＳ８に処理を戻す。そして、ステップＳ８において、第２表示部２２の表示面を視認可能な人（視認者Ｂ）がいると判定された場合、表示制御部５２は裏面（第２面１０２）側への表示を継続し、履歴情報生成部５５は表示時間ｔの計時を継続する。一方、ステップＳ８において、第２表示部２２の表示面を視認可能な人（視認者Ｂ）がいないと判定された場合、ステップＳ１に処理を戻して、表示制御部５２は、裏面（第２面１０２）側の表示をオフ（非表示状態）にする。
また、ステップＳ１８において、電源オフ操作がされたと判定された場合、制御部５０は、電子機器１００における電源オフ処理を実行して、処理を終了する。
【００８５】
このように、履歴情報生成部５５は、第２表示部２２に情報を表示させていた時間（表示時間）を示す情報を、履歴情報として生成する。これにより、電子機器１００は、第２表示部２２に情報を表示していた時間（表示時間）を示す情報を、履歴情報として生成することができる（表示時間を履歴として残すことができる）。
【００８６】
次に、図８を参照して、電子機器１００が裏面側の第２表示部２２示面に対する視線があると判定（検出）していた時間を示す情報を、履歴情報として生成する処理の動作について説明する。
図８は、電子機器１００が履歴情報を生成する処理の第３例を示すフローチャートである。この図は、電子機器１００が、宣伝広告情報を表示させた第２表示部２２の表示面に対する視線を検出していた（視線があると判定（検出）していた）時間を示す情報を、履歴情報として生成する処理の一例を示している。この図８に示す処理は、図７に示す処理に対して、ステップＳ１１およびステップＳ１７の処理が異なる。なお、図８において、図７の各処理と対応する処理には同一の符号を付け、その説明を適宜省略する。
【００８７】
ステップＳ１０において、表示制御部５２が裏面（第２面１０２）側の第２表示部２２に宣伝広告情報を表示した後、視認者検出部４１は、第２表示部２２の表示面に対する視線があるか否かを判定する（ステップＳ１１）。
【００８８】
ステップＳ１１において、第２表示部２２の表示面に対する視線があると判定された場合、履歴情報生成部５５は、表示時間ｔ（表示時間を計時するタイマの値）の計時を開始する（表示時間ｔ＝＋＋）（ステップＳ１５）。続いて、履歴情報生成部５５は、表示時間ｔにより示される履歴情報を更新する（ステップＳ１６）。
【００８９】
次に、制御部５０は、電子機器１００において電源オフ操作がされたか否かを判定する（ステップＳ１８）。ステップＳ１８において、電源オフ操作がされていないと判定された場合、制御部５０は、ステップＳ１１に処理を戻す。そして、履歴情報生成部５５は、ステップＳ１１において第２表示部２２の表示面に対する視線があると判定されている間、表示時間ｔの計時を継続する。また、ステップＳ１８において、電源オフ操作がされたと判定された場合、制御部５０は、電子機器１００における電源オフ処理を実行して、処理を終了する。
【００９０】
一方、ステップＳ１１において、第２表示部２２の表示面に対する視線がないと判定された場合、視認者検出部４１は、表示時間ｔの計時を停止し（ステップＳ１７）、ステップＳ８に処理を戻す。そして、表示制御部５２は、ステップＳ８において視認可能な人（視認者Ｂ）がいると判定された場合には、裏面（第２面１０２）側への表示を継続し（ステップＳ１０）、ステップＳ８において視認可能な人（視認者Ｂ）がいないと判定された場合には、裏面（第２面１０２）側の表示をオフ（非表示状態）にする（ステップＳ１）。
【００９１】
このように、履歴情報生成部５５は、第２表示部２２に情報を表示させていた時間（表示時間）のうち、第２表示部２２の表示面に対する視線があると検出されていた時間を示す情報を、履歴情報として生成する。これにより、電子機器１００は、第２表示部２２に表示した情報に対して、視認者Ｂからの視線が向けられていた時間を示す情報を、履歴情報として生成することができる（表示した情報が見られていた時間を履歴として残すことができる）。
【００９２】
なお、図７または図８に示す表示時間または視線があると検出されていた時間を履歴情報として生成する処理は、例えば、表示する情報の種類ごと（例えば、宣伝広告情報の内容ごと、宣伝広告情報の配信元ごと、等）の表示時間または視線があると検出されていた時間を、履歴情報として生成してもよい。
【００９３】
＜各種サーバおよび情報端末を含むネットワークシステムの構成＞
次に、電子機器１００が、通信網により接続される外部機器（各種サーバ、情報端末、および電子機器）と接続して、裏面（第２面１０２）側に表示する情報を取得する処理の一例について説明する。
【００９４】
電子機器１００は、通信網を介して接続される外部機器が有する複数の情報（コンテンツ）から選択した情報（コンテンツ）を、第２表示部２２に表示する。ここで、この外部機器は、例えば、通信網を介して接続されるサーバ、および移動体に設置された情報端末の何れであってもよい。なお、移動体は、電車、バス（交通機関のバス）、タクシー、航空機、船舶等の何れであってもよい。さらに、外部機器は、街頭（建物の壁面、公園、沿道等）に設置された情報端末であってもよい。
【００９５】
図９は、電子機器１００が、外部機器と通信網を介して接続されるシステムの一例を示す図である。この図に示すシステムは、電子機器１００と、インターネット（通信網）を介して接続される、車内広告配信サーバ１（電車）１５１、車内広告配信サーバ２（バス）１５２、Ｗｅｂサーバ１５３、および緊急情報配信サーバ１５４と、電車２００内に設置された電車内情報端末１５６と、電車内情報端末１５６とインターネットとを接続可能にする基地局１５７と、電車２００内に設置され、電子機器１００とインターネットとを接続可能にする基地局１５８（例えば、Ｗｉ−ｆｉスポット）と、を備えている。
【００９６】
車内広告配信サーバ１（電車）１５１は、電車２００内に設置された電車内情報端末１５６に表示するコンテンツ（例えば宣伝広告情報）を、インターネットを介して配信する。車内広告配信サーバ２（バス）１５２は、不図示のバス（交通機関のバス）内に設置された情報端末に表示するコンテンツ（例えば宣伝広告情報）を、インターネットを介して配信する。
【００９７】
Ｗｅｂサーバ１５３は、インターネットを介して接続される各種電子機器に対して、Ｗｅｂコンテンツを配信する。緊急情報配信サーバ１５４は、緊急事態に関する情報である緊急時情報を、緊急事態が発生した際にインターネットを介して配信（通知）する。ここで、緊急事態とは、例えば自然災害、事故、或いは事件による生じた緊急事態である。また、緊急時情報とは、これらの緊急事態が発生した際に緊急事態に関する情報を通知するニュースや緊急速報等である。
【００９８】
なお、インターネットを介して接続されるサーバは、上述したサーバに限られるものではなく、例えば、携帯電話会社のサーバ、電車およびバス（交通機関のバス）以外の移動体（タクシー、航空機、船舶等）が備えている情報端末にコンテンツを配信するサーバ、ＦＴＰ（Ｆｉｌｅ  Ｔｒａｎｓｆｅｒ  Ｐｒｏｔｏｃｏｌ）サーバ、メールサーバ等であってもよい。
また、基地局１５７または基地局１５８とインターネットとは、例えばＷｉ−Ｆｉ（登録商標）等に対応する無線方式による無線通信で接続されてもよいし、有線通信で接続されてもよい。
【００９９】
電車内情報端末１５６は、基地局１５７を介してインターネットに接続される。そして、電車内情報端末１５６は、車内広告配信サーバ１（電車）１５１との間で、インターネットを介して通信確立して相互認証した後、端末情報の送信処理やコンテンツ（情報）の受信処理等を行う（図９の（１）に示す通信処理）。
【０１００】
電子機器１００は、電車内情報端末１５６との間で、例えば、Ｂｌｕｅｔｏｏｔｈ（登録商標）やＷｉ−Ｆｉ（登録商標）等に対応する無線方式により互いに情報を送受信する（図９の（２）に示す通信処理）。例えば、電子機器１００は、電車内情報端末１５６に対して端末情報を送信することにより通信確立して相互認証する。また、電子機器１００は、電車内情報端末１５６の間で通信確立して相互認証した後、電車内情報端末１５６が車内広告配信サーバ１（電車）１５１から受信したコンテンツ（情報）を、電車内情報端末１５６に対して要求することに応じて電車内情報端末１５６から取得する。
【０１０１】
また、電子機器１００は、基地局１５８を介してインターネットに接続される。そして、電子機器１００は、Ｗｅｂサーバ１５３との間で、インターネットを介して通信確立して相互認証した後、端末情報またはユーザ情報の送信処理やコンテンツの受信処理等を行う（図９の（３）に示す通信処理）。
【０１０２】
さらに、電子機器１００は、緊急情報配信サーバ１５４との間で、インターネットを介して通信確立して相互認証した後、緊急情報配信サーバ１５４から送信（配信）された緊急時情報を受信する（図９の（４）に示す通信処理）。
【０１０３】
なお、電子機器１００は、各サーバからコンテンツ情報を取得する場合、事前に各サーバを運営するコンテンツ配信元との間で契約処理を実行する。例えば、電子機器１００は、各サーバとの通信確立の後、各サーバが提供する契約手順に従って機器情報またはユーザ情報等を送信し、コンテンツ配信元との間で行われるコンテンツ配信に関する契約処理を実行する。電子機器１００は、一度、契約処理を済ませることにより、次回の接続時からは機器情報またはユーザ情報を含む接続要求コマンドをサーバに対して送信することにより、契約済であれば認証が行われて、コンテンツを取得可能になる。
【０１０４】
（通信網を介して取得したコンテンツを表示する処理）
次に、電子機器１００が図９に示す通信網を介して取得したコンテンツを、裏面（第２面１０２）側の第２表示部２２に表示する処理の動作について説明する。
【０１０５】
図１０は、電子機器１００が電車内情報端末１５６を介して、車内広告配信サーバ１（電車）１５１から取得したコンテンツを表示する処理の動作の一例を示す図である。
【０１０６】
図１０において、電車内情報端末１５６と車内広告配信サーバ１（電車）１５１との通信確立（ステップＳ２０１）、および電子機器１００と電車内情報端末１５６との通信確立（ステップＳ１０１）の後、電子機器１００の制御部５０は、通信部６を介して、電車内情報端末１５６に対して接続要求コマンドを送信する（ステップＳ１０２）。電車内情報端末１５６は、電子機器１００から受信した接続要求コマンドを車内広告配信サーバ１（電車）１５１対して送信する（ステップＳ２０２）。
【０１０７】
車内広告配信サーバ１（電車）１５１は、受信した接続要求コマンドに含まれている機器情報またはユーザ情報等に基づいて、電子機器１００との間の契約処理が完了しているか否か（契約済であるか否か）を判定する（ステップＳ２０３）。
【０１０８】
ステップＳ２０３において、電子機器１００との間の契約処理が完了していない（契約済ではない）と判定された場合、車内広告配信サーバ１（電車）１５１は、認証エラー処理を実行して（ステップＳ２０５）、処理を終了する。例えば、車内広告配信サーバ１（電車）１５１は、認証エラー処理として電子機器１００に対して認証エラーを示す情報を送信して処理を終了する。
【０１０９】
一方、ステップＳ２０３において、電子機器１００との間の契約処理が完了している（契約済である）と判定された場合、車内広告配信サーバ１（電車）１５１は、認証成功を示す情報を、電車内情報端末１５６を介して電子機器１００に送信する（ステップＳ２０４、Ｓ１０４）。
【０１１０】
次に、電子機器１００の検出部４０（視認者検出部４１）は、裏面（第２面１０２）側に第２表示部２２の表示面を視認可能な人がいるか否かを検出（判定）する（ステップＳ１０５）。ステップＳ１０５において、視認可能な人がいないことが検出（視認可能な人がいないと判定）された場合、検出部４０は、ステップＳ１０５の処理を繰り返して、裏面（第２面１０２）側に第２表示部２２の表示面を視認可能な人がいるか否かを検出（判定）する。
【０１１１】
一方、ステップＳ１０５において、視認可能な人がいると検出（判定）された場合、電子機器１００の制御部５０は、第２表示部２２に表示するためのコンテンツを要求するコンテンツ要求コマンドを、電車内情報端末１５６を介して車内広告配信サーバ１（電車）１５１に送信する（ステップＳ１０６、Ｓ２０６）。
【０１１２】
車内広告配信サーバ１（電車）１５１は、受信したコンテンツ要求コマンドに応じて、車内広告配信サーバ１（電車）１５１内に有するコンテンツ（「コンテンツ１」、「コンテンツ２」、「コンテンツ３」）を、順次、電車内情報端末１５６を介して電子機器１００に送信する。電子機器１００の制御部５０は、車内広告配信サーバ１（電車）１５１から送信されたコンテンツ（「コンテンツ１」、「コンテンツ２」、「コンテンツ３」）を、順次、通信部６を介して受信する（ステップＳ２０７、Ｓ１０７）、（ステップＳ２０８、Ｓ１０８）、（ステップＳ２０９、Ｓ１０９）。
【０１１３】
次に、電子機器１００の制御部５０（表示制御部５２）は、受信したコンテンツ（「コンテンツ１」、「コンテンツ２」、「コンテンツ３」）を、順次、第２表示部２２に表示する（ステップＳ１２０）。
【０１１４】
このように、視認者検出部４１により第２表示部２２の表示面を視認可能な人（視認者Ｂ）がいると判定された場合、表示制御部５２は、電車内情報端末１５６を介してインターネットに接続された車内広告配信サーバ１（電車）１５１から受信したコンテンツを、裏面（第２面１０２）側の第２表示部２２に表示する。
【０１１５】
これにより、電子機器１００は、裏面（第２面１０２）側の第２表示部２２の表示面に対面する方向に第２表示部２２の表示面を視認可能な人（視認者Ｂ）がいる場合、この視認者Ｂに視認可能なように、車内広告配信サーバ１（電車）１５１から受信したコンテンツを第２表示部２２に表示することができる。
【０１１６】
（視認可能な人の性別および推定年齢に基づいて、取得するコンテンツを選択する例）
次に、図１１を参照して、電子機器１００が裏面（第２面１０２）側の第２表示部２２に表示するコンテンツを取得する際に、検出した視認可能な人の性別および推定年齢に基づいて、取得するコンテンツを選択する場合の処理の動作について説明する。
【０１１７】
図１１は、電子機器１００が、検出した視認可能な人の性別および推定年齢に基づいて取得したコンテンツを表示する処理の動作の一例を示す図である。
図１１に示す処理は、ステップＳ１１０において電子機器１００がコンテンツ要求コマンドを送信する処理から、ステップＳ１１２において電子機器１００がコンテンツの取得を完了する処理までが、図１０に示す処理に対して異なる。なお、図１１において、図１０の各処理と対応する処理には同一の符号を付け、その説明を省略する。
【０１１８】
制御部５０の表示情報選択部５６は、視認者検出部４１が検出した視認可能な人の性別および推定年齢を示す情報に基づいて、複数のコンテンツ（情報）から第２表示部２２に表示させるコンテンツ（情報）を選択する。制御部５０は、表示情報選択部５６により選択されたコンテンツ（情報）を取得するために、性別および推定年齢を示す情報を属性情報として含めたコンテンツ要求コマンドを送信する。
【０１１９】
図１１に示すように、ステップＳ１０５において、視認可能な人がいると検出（判定）された場合、電子機器１００の制御部５０は、第２表示部２２に表示するためのコンテンツを要求するコンテンツ要求コマンドを、電車内情報端末１５６を介して車内広告配信サーバ１（電車）１５１に送信する（ステップＳ１１０、Ｓ２１０）。ここで、制御部５０は、視認者検出部４１が検出した第２表示部２２の表示面を視認可能な人の性別および推定年齢を示す情報を属性情報としてコンテンツ要求コマンドに含めて送信する。この図１１に示す例においては、制御部５０は、性別を示す情報を「女性」、年齢を示す情報を「２０代」とした属性情報を含めたコンテンツ要求コマンドを、電車内情報端末１５６を介して車内広告配信サーバ１（電車）１５１に送信する。
【０１２０】
車内広告配信サーバ１（電車）１５１は、コンテンツと、そのコンテンツに関連する属性情報とを対応付けて登録（管理）している。例えば、車内広告配信サーバ１（電車）１５１は、コンテンツの属性情報として、コンテンツの種別を示す情報と、コンテンツに適した性別を示す情報と、コンテンツに適した年齢を示す情報とを、各コンテンツと対応付けて管理している。
【０１２１】
図１１に示す例においては、車内広告配信サーバ１（電車）１５１は、「コンテンツ１」、「コンテンツ２」、および「コンテンツ３」の属性情報をそれぞれ以下に示す内容として管理している。
・「コンテンツ１」の属性情報
種別を示す情報：「化粧品」、性別を示す情報：「女性」、年齢を示す情報：「ＡＬＬ（全ての年齢が対象）」。
・「コンテンツ２」の属性情報
種別を示す情報：「ファッション」、性別を示す情報：「男性」、年齢を示す情報：「３０代」。
・「コンテンツ３」の属性情報
種別を示す情報：「ファッション」、性別を示す情報：「女性」、年齢を示す情報：「２０代」。
【０１２２】
車内広告配信サーバ１（電車）１５１は、受信したコンテンツ要求コマンドに含まれる属性情報に基づいて、その属性情報に対応するコンテンツを、電車内情報端末１５６を介して電子機器１００に送信する。
例えば、図１１に示す例においては、車内広告配信サーバ１（電車）１５１は、性別を示す情報を「女性」、年齢を示す情報を「２０代」とした属性情報を含めたコンテンツ要求コマンドを、電子機器１００から受信する。そして、車内広告配信サーバ１（電車）１５１は、受信したコンテンツ要求コマンドに含まれる属性情報に対応するコンテンツとして、コンテンツ１とコンテンツ２とを、順次、電車内情報端末１５６を介して電子機器１００に送信する（ステップＳ２１１、Ｓ１１１）、（ステップＳ２１２、Ｓ１１２）。
【０１２３】
次に、電子機器１００の制御部５０（表示制御部５２）は、受信したコンテンツ（「コンテンツ１」、「コンテンツ３」）を、順次、第２表示部２２に表示する（ステップＳ１２０）。
【０１２４】
このように、制御部５０は、検出した視認可能な人の性別および推定年齢のうちの何れかを示す情報に基づいて、複数の情報から第２表示部２２に表示させる情報を選択する。
【０１２５】
これにより、電子機器１００は、裏面（第２面１０２）側の第２表示部２２の表示面に対面する方向にいる第２表示部２２の表示面を視認可能な人（視認者Ｂ）の性別および推定年齢のうちの何れかに応じて適した情報を、第２表示部２２に表示することができる。
【０１２６】
なお、図１０および図１１に示す処理は、電子機器１００から送信したコンテンツ要求コマンドに応じて、車内広告配信サーバ１（電車）１５１から電車内情報端末１５６を介して電子機器１００にコンテンツが送信される処理を説明したが、これに限られるものではない。例えば、車内広告配信サーバ１（電車）１５１から電車内情報端末１５６に複数のコンテンツが事前に送信されており、電子機器１００は、電車内情報端末１５６に送信したコンテンツ要求コマンドに応じて、電車内情報端末１５６内の複数の受信済のコンテンツのうちから要求したコンテンツを取得する処理としてもよい。
【０１２７】
また、図１１に示す処理は、電子機器１００が送信したコンテンツ要求コマンドに含まれている属性情報に基づいて、その属性情報に対応するコンテンツが車内広告配信サーバ１（電車）１５１から電車内情報端末１５６を介して電子機器１００に送信される処理を説明したが、これに限られるものではない。例えば、電子機器１００は、車内広告配信サーバ１（電車）１５１または電車内情報端末１５６から、属性情報の内容にかかわらず、複数のコンテンツとそのコンテンツに対応付けられた属性情報とを、一旦取得してもよい。そして、電子機器１００（表示情報選択部５６）は、一旦取得した複数のコンテンツから、視認者検出部４１が検出した視認可能な人の性別（例えば「女性」）および推定年齢（例えば「２０代」）を示す情報に基づいて第２表示部２２に表示させるコンテンツ（情報）を選択してもよい。
【０１２８】
（コンテンツ収入の金額情報を取得する処理の例）
次に、電子機器１００が裏面（第２面１０２）側の第２表示部２２に表示するコンテンツを取得する際に、コンテンツごとに得られる収入の金額を示す収入金額情報（コンテンツ収入の金額情報）を取得する処理の動作について説明する。このコンテンツごとに得られる収入金額情報とは、取得したコンテンツを表示することによりコンテンツの配信元から得られるコンテンツ収入の金額を示す金額情報である。例えば、コンテンツごとに得られる収入金額情報は、コンテンツを表示していた表示時間に応じて得られる金額を算出するための時間単価、コンテンツを表示した回数に応じて得られる金額を算出するための表示１回当たりの単価、等により示されている。
【０１２９】
図１２は、電子機器１００が、コンテンツ収入の金額情報（収入金額情報）に基づいて、表示するコンテンツを選択可能にする処理の動作の一例を示す図である。なお、この図において、コンテンツごとに得られる収入の金額を示す収入金額情報は、時間単価を示す情報としている。
図１２に示す処理は、ステップＳ１１３において電子機器１００がコンテンツ要求コマンドを送信する処理から、ステップＳ１１６において電子機器１００がコンテンツの取得を完了する処理までと、ステップＳ１１８のコンテンツ選択処理とが、図１０に示す処理に対して異なる。なお、図１２において、図１０の各処理と対応する処理には同一の符号を付け、その説明を省略する。
【０１３０】
ステップＳ１０５において、視認可能な人がいると検出（判定）された場合、電子機器１００の制御部５０は、第２表示部２２に表示するためのコンテンツを要求するコンテンツ要求コマンドを、電車内情報端末１５６を介して車内広告配信サーバ１（電車）１５１に送信する。ここで、制御部５０は、コンテンツごとの収入金額情報（コンテンツを表示した表示時間に応じて得られる収入の時間単価）を取得するための要求指令をコンテンツ要求コマンドに含めて送信する（ステップＳ１１３、Ｓ２１３）。
【０１３１】
車内広告配信サーバ１（電車）１５１は、コンテンツと、そのコンテンツに関連する属性情報とを対応付けて登録（管理）している。例えば、車内広告配信サーバ１（電車）１５１は、コンテンツの属性情報として、コンテンツの種別を示す情報と、コンテンツの収入金額情報とを、各コンテンツと対応付けて管理している。
【０１３２】
図１２に示す例においては、車内広告配信サーバ１（電車）１５１は、「コンテンツ１」、「コンテンツ２」、および「コンテンツ３」の属性情報をそれぞれ以下に示す内容として管理している。
・「コンテンツ１」の属性情報
種別を示す情報：「化粧品」、収入金額情報（時間単価）：「１０円／分」。
・「コンテンツ２」の属性情報
種別を示す情報：「ファッション」、収入金額情報（時間単価）：「５円／分」。
・「コンテンツ３」の属性情報
種別を示す情報：「ファッション」、収入金額情報（時間単価）：「５円／分」。
【０１３３】
車内広告配信サーバ１（電車）１５１は、受信したコンテンツ要求コマンドに基づいて、コンテンツとそのコンテンツの収入金額情報とを対応付けて、電車内情報端末１５６を介して電子機器１００に送信する。
例えば、図１２に示す例においては、車内広告配信サーバ１（電車）１５１は、コンテンツ要求コマンドに受信したことに応じて、「コンテンツ１」および「コンテンツ１」の属性情報（種別情報：「化粧品」、収入金額情報（時間単価）：「１０円／分」）と、「コンテンツ２」および「コンテンツ２」の属性情報（種別情報：「「ファッション」、収入金額情報（時間単価）：「５円／分」）と、「コンテンツ３」および「コンテンツ３」の属性情報（種別情報：「「ファッション」、収入金額情報（時間単価）：「５円／分」）と、を、順次、電車内情報端末１５６を介して電子機器１００に送信する（ステップＳ２１４、Ｓ１１４）、（ステップＳ２１５、Ｓ１１５）、（ステップＳ２１６、Ｓ１１６）。
【０１３４】
次に、電子機器１００の制御部５０（表示制御部５２）は、受信したコンテンツ（「コンテンツ１」、「コンテンツ２」、「コンテンツ３」）と、各コンテンツの属性情報との一覧を第１表示部２１に表示するとともに、このコンテンツの一覧の中から第２表示部２２に表示するコンテンツをユーザの操作入力により選択可能な選択メニューを第１表示部２１に表示する。制御部５０は、ユーザの操作入力（第１面（１０１）側への操作入力）を検出することにより、第２表示部２２に表示するコンテンツを選択する（ステップＳ１１８）。
【０１３５】
例えば、ユーザは、「コンテンツ１」、「コンテンツ２」、および「コンテンツ３」のうち、時間単価が最も高いコンテンツである「コンテンツ１」を選択する操作を行うとする。この場合、制御部５０（表示情報選択部５６）は、ユーザの操作入力を検出することにより、第２表示部２２に表示するコンテンツとして「コンテンツ１」を選択する。
【０１３６】
続いて、制御部５０（表示制御部５２）は、ステップＳ１１８において選択されたコンテンツ（例えば「コンテンツ１」）を、第２表示部２２に表示する（ステップＳ１２０）。
【０１３７】
このように、制御部５０は、第２表示部２２にコンテンツを表示することにより得られる収入の金額を示す収入金額情報を、コンテンツの属性情報として取得する。また、制御部５０は、第２表示部２２に表示するコンテンツをユーザの操作入力により選択可能な選択メニューとして、コンテンツと収入金額情報（単価情報）とを第１表示部２１に表示する。そして、制御部５０は、ユーザの操作入力を検出することにより、第２表示部２２に表示するコンテンツを選択する。
【０１３８】
これにより、電子機器１００は、第２表示部２２に表示させた場合のコンテンツごとの収入金額情報（単価情報）を取得することができる。よって、電子機器１００は、第２表示部２２に表示させるコンテンツを、コンテンツごとの収入金額情報（単価情報）に基づいてユーザが選択可能なようにすることができる。
【０１３９】
（コンテンツ収入の収入情報を管理する処理の例）
次に、電子機器１００が裏面（第２面１０２）側の第２表示部２２に表示したコンテンツに関する履歴情報に基づいて、コンテンツを表示することにより得られる収入情報を管理する処理の動作について説明する。
【０１４０】
図１３は、電子機器１００が、履歴情報に基づいて収入情報を管理する処理の動作の一例を示す図である。この図１３は、図１２に示すステップＳ１２０の処理の後に行われる処理を示している。
【０１４１】
図１２を用いて説明したように、制御部５０（表示制御部５２）は、コンテンツ（例えば「コンテンツ１」）を第２表示部２２に表示する（ステップＳ１２０）。次に、履歴情報生成部５５は、コンテンツ（例えば「コンテンツ１」）を第２表示部２２に表示させていた表示時間を履歴情報として生成する（ステップＳ１２５）。
【０１４２】
続いて、制御部５０（収入管理部５８）は、収入金額情報（時間単価）と、生成した履歴情報とに基づいて、第２表示部２２に表示させる情報を配信する配信元に請求する金額を示す請求金額情報を生成する（ステップＳ１３０）。例えば、収入管理部５８は、「コンテンツ１」に対応付けられている収入金額情報（時間単価）に対して、「コンテンツ１」を表示させていた表示時間を積算して請求金額を算出することにより、請求金額情報を生成する。
【０１４３】
次に、制御部５０は、生成した請求金額情報を、電車内情報端末１５６を介して車内広告配信サーバ１（電車）１５１に送信する（ステップＳ１３１、Ｓ２３１）。例えば、制御部５０は、履歴情報を生成（更新）するたび、または月ごとの設定された日（しめ日）にまとめて、生成した請求金額情報を送信する。なお、制御部５０は、生成した請求金額情報を、コンテンツ毎にそれぞれのコンテンツを配信する配信元のサーバに送信する。
【０１４４】
次に、車内広告配信サーバ１（電車）１５１は、受信した請求金額情報に基づいて、ユーザに対して支払うコンテンツ料金（電子機器１００においてコンテンツが表示されることによりユーザから請求される請求金額）を、ユーザに対して出金する出金処理を実行する（ステップＳ２３５）。例えば、車内広告配信サーバ１（電車）１５１は、出金処理として、予め登録されているユーザの銀行口座等に、受信した請求金額情報に応じたコンテンツ料金の振込み処理を実行する。
【０１４５】
そして、車内広告配信サーバ１（電車）１５１は、出金処理が完了したか否か（出勤処理済か否か）を判定する（ステップＳ２３６）。ステップＳ２３６において、出金処理済ではないと判定された場合、車内広告配信サーバ１（電車）１５１は、出金処理が完了するまで（出金処理済と判定されるまで）、ステップＳ２３６の処理を繰り返す。一方、ステップＳ２３６において、出金処理済であると判定された場合、車内広告配信サーバ１（電車）１５１は、上述の出金処理により、請求金額情報に応じて配信元からユーザに対して入金された金額を示す入金情報を、電車内情報端末１５６を介して電子機器１００に送信する（ステップＳ２３８、Ｓ１３８）。そして、電子機器１００の制御部５０は、電車内情報端末１５６を介して車内広告配信サーバ１（電車）１５１から入金情報を取得（受信）する。
【０１４６】
制御部５０の収入管理部５８は、生成した請求金額情報と取得した入金情報とに基づいて、収入情報を更新する（ステップＳ１４０）。例えば、収入管理部５８は、生成した請求金額情報と取得した入金情報とを対応付けて、配信元ごとまたはコンテンツごとの収入情報として更新する。また、収入管理部５８は、生成した請求金額情報と取得した入金情報とを比較することにより、請求金額に応じたコンテンツ料金が入金されたか否か（支払われたか否か）を判定する。そして、収入管理部５８は、判定した結果により請求金額情報と入金情報とに不整合があった場合、この不整合があることを示す情報を、ユーザに報知する（例えば、第１表示部２１に表示させる）、または、配信元のサーバに送信する。
【０１４７】
このように、制御部５０の収入管理部５８は、収入金額情報（時間単価）と、生成した履歴情報とに基づいて、第２表示部２２に表示させる情報を配信する配信元に請求する請求金額情報を生成する。また、収入管理部５８は、生成した請求金額情報を車内広告配信サーバ１（電車）１５１に送信するとともに、送信した請求金額情報に応じて配信元からユーザに対して入金された入金情報を、車内広告配信サーバ１（電車）１５１から取得する。
【０１４８】
これにより、電子機器１００は、収入金額情報（時間単価）と、生成した履歴情報とに基づいて、配信元に請求する請求金額情報を生成して配信元に送信することができる。また、電子機器１００は、送信した請求金額情報に応じて配信元からユーザに対して入金された入金情報を、車内広告配信サーバ１（電車）１５１から取得することができる。よって、電子機器１００は、第２表示部２２に表示させた履歴情報に基づいて配信元に請求する請求金額情報と、取得した入金情報とに基づいて、第２表示部２２にコンテンツを表示することにより得られる収入情報を管理することができる。
【０１４９】
（緊急時情報を受信した場合の処理の例）
次に、電子機器１００が緊急時情報を受信した場合の処理について説明する。
図１４は、電子機器１００が緊急時情報を受信した場合の動作の一例を示すフローチャートである。
【０１５０】
制御部５０は、緊急時情報を取得したか否かを判定する（ステップＳ２１）。例えば、情報判定部５７は、通信網を介して接続される外部機器から通信部６により取得した情報が、緊急時情報であるか否かを判定する。ステップＳ２１において、緊急時情報を取得していないと判定された場合、制御部５０は、ステップＳ２１の緊急時情報を取得したか否かを判定する処理を繰り返えす。
【０１５１】
ステップＳ２１において、緊急時情報を取得したと判定された場合、制御部５０は、裏面（第２面１０２）側の第２表示部２２に情報（例えば、宣伝広告情報等のコンテンツ）を表示中であるか否かを判定する（ステップＳ２２）。
【０１５２】
ステップＳ２２において、第２表示部２２に情報を表示中であると判定された場合、表示制御部５２は、第２表示部２２に表示されていた情報の表示を中断する（ステップＳ２３）。そして、履歴情報生成部５５は、ステップＳ２３において表示を中断するまでに実行された表示処理の履歴情報を更新する（ステップＳ２３）。次に、表示制御部５２は、裏面（第２面１０２）側の第２表示部２２に、取得した緊急時情報を表示させる（ステップＳ２５）。
【０１５３】
一方、ステップＳ２２において、第２表示部２２に情報を表示中でないと判定された場合、制御部５０は、ステップＳ２３およびステップＳ２４の処理を実行せずに、上述のステップＳ２５に処理を進める（第２表示部２２に緊急時情報を表示させる）。
【０１５４】
続いて、制御部５０は、取得した緊急時情報が報知音を出力する必要がある情報であるか否かを判定する（ステップＳ２６）。例えば、緊急事態のレベル（緊急度合）に応じて報知音を出力する必要があるか否かを示す情報が緊急時情報に対応付けられており、情報判定部５７は、この報知音を出力する必要があるか否かを示す情報に基づいて、取得した緊急時情報が報知音を出力する必要がある情報であるか否かを判定する。ステップＳ２６において、報知音を出力する対象となる情報ではない（報知音なし）と判定された場合、制御部５０は、ステップＳ２８に処理を進める。
【０１５５】
一方、ステップＳ２６において、報知音を出力する必要がある情報である（報知音あり）と判定された場合、音出力制御部５３は、報知音を音出力部４から出力させる（ステップＳ２７）。次に、制御部５０は、緊急時情報が終了したか否かを判定する（ステップＳ２８）。ここで、制御部５０は、例えば、緊急時情報の出力処理を停止させる操作入力を検出した場合、または緊急時情報の配信が終了した場合、緊急時情報の出力（表示、報知音）を終了させて、緊急時情報が終了したと判定する。
【０１５６】
ステップＳ２８において、緊急時情報が終了していないと判定された場合、制御部５０は、ステップＳ２５に処理を戻し、緊急時情報の出力（表示、または報知音の出力）を継続する。一方、緊急時情報が終了したと判定された場合、制御部５０は、処理を終了する。
【０１５７】
このように、表示制御部５２は、取得した情報が情報判定部５７により緊急時情報であると判定された場合、第２表示部２２に表示させていた情報の表示を停止するとともに、この緊急時情報を第２表示部２２に表示させる。また、音出力制御部５３は、取得した情報が情報判定部５７により緊急時情報であると判定された場合、第２表示部２２に緊急時情報を表示することを報知する報知音を音出力部に出力させる。
【０１５８】
これにより、電子機器１００は、緊急時情報を取得した場合、裏面（第２面１０２）側の第２表示部２２の表示面に対面する方向にいる第２表示部２２の表示面を視認可能な人（視認者Ｂ）に対して視認可能なように、緊急時情報を優先して第２表示部２２に表示することができる。また、電子機器１００は、報知音を出力することにより緊急時情報を表示していることを、第２表示部２２の表示面を視認可能な人（視認者Ｂ）、または周囲の人に報知することができる。
【０１５９】
なお、図１４を用いて説明した処理では、電子機器１００が、緊急時情報を取得した場合に、第２表示部２２に表示していた情報の表示を停止（中断）して、取得した緊急時情報を表示する処理の動作を説明したが、これに限られるものではない。例えば、電子機器１００は、緊急時情報を取得した場合に、第２表示部２２に表示している情報に重ねて（オーバーラップさせて）取得した緊急時情報を表示してもよい。
【０１６０】
（表示領域の制御）
次に、電子機器１００の裏面（第２面１０２）側の第２表示部２２の表示領域の制御について説明する。
表示制御部５２は、把持位置検出部４３により検出された把持位置に基づいて、第２表示部２２における表示面の表示領域のうち、把持されている位置を中心として予め定められた領域を除く表示領域に情報を表示させる。すなわち、表示制御部５２は、操作者によって把持されている位置の近傍に対しては、第２表示部２２の表示を非表示状態とし、把持されている位置から離れた位置を表示領域として情報を表示させる。ここで、上述の予め定められた領域は、操作者によって把持されている位置を中心として、操作者の手や指により遮られて視認できない可能性がある領域として予め定められた領域である。なお、表示制御部５２は、第２表示部２２における表示面の表示領域のうち、非表示状態とした表示領域を除く領域に、情報を縮小また移動させて表示させてもよい。
【０１６１】
図１５は、把持状態に基づく表示領域の一例を示す図である。
図１５（ａ）は、ユーザＡにより電子機器１００が片手（右手）で把持されている状態の一例を示している。
この図において、表示制御部５２は、把持位置検出部４３により検出された把持されている位置に基づいて、第２表示部２２の表示領域のうち領域Ｄ１を表示状態に制御し、領域Ｄ２を非表示状態に制御する。すなわち、表示制御部５２は、第２表示部２２の表示領域のうち、領域Ｄ１を表示領域とし、領域Ｄ２を非表示領域とした表示制御をする。
【０１６２】
また、図１５（ｂ）は、ユーザＡにより電子機器１００が両手で把持されている状態の一例を示している。
この図において、表示制御部５２は、把持位置検出部４３により検出された操作者によって把持されている位置に基づいて、第２表示部２２の表示領域のうち領域Ｄ３および領域Ｄ５を非表示状態に制御し、領域Ｄ４を表示状態に制御する。すなわち、表示制御部５２は、第２表示部２２の表示領域のうち、領域Ｄ３および領域Ｄ５を非表示領域とし、領域Ｄ４を表示領域とした表示制御をする。
【０１６３】
なお、表示制御部５２は、第２表示部２２に情報を表示させる場合、例えば、図１５に表示領域として示す領域Ｄ１または領域Ｄ４それぞれのうち、一部の領域または全ての領域の何れに情報を表示させてもよい。
これにより、電子機器１００は、ユーザＡによって把持されている場合、第２表示部２２に表示された情報を視認者Ｂが視認する際に、その表示された情報がユーザＡの手や指により遮られてしまうことを防止することができる。
【０１６４】
以上説明してきたように、電子機器１００は、裏面側の第２表示部２２の表示面を視認可能な人に対して情報を表示することができるとともに、表示した情報に関する履歴情報を生成することができる。ここで、電子機器１００は、裏面側の第２表示部２２に表示した情報に関する履歴情報を、表面側の第１表示部２１に表示した情報関する履歴情報とは別に生成することができる。また、電子機器１００は、裏面側の第２表示部２２の表示面を視認可能な人に応じて適した情報を第２表示部２２に表示することができる。
よって、本実施形態によれば、ユーザに対面する面の反対面側にいる人に対して有効に情報を出力することができる。
【０１６５】
なお、電子機器１００が裏面側の第２表示部２２に表示する情報は、宣伝広告情報に限られるものではない、例えば、電子機器１００は、ニュース、天気情報、観光地の情報、現在位置の周辺情報、交通情報、運行情報、ドラマや映画、またはユーザＡ（電子機器１００のメインユーザ、所有者）に関する情報等を裏面側の第２表示部２２に表示してもよい。
【０１６６】
なお、上記実施形態において電子機器１００が第１撮像部１１および第２撮像部１２を備えている構成を説明したが、第２撮像部１２（ユーザＡに対面する表面の反対面となる裏面に対面する方向を撮像する撮像部）のみを備えている構成としてもよい。これにより、電子機器１００は、少なくとも、ユーザＡが使用する面に対して反対面側のユーザを検出することができる。
【０１６７】
なお、上記実施形態において、電子機器１００が、第１表示部２１の表示面上における接触状態を検出する第１表示面接触センサ３３と、第２表示部２２の表示面上における接触状態を検出する第２表示面接触センサ３４とを備えている例について説明したが、表示面上における接触状態を検出する構成に代えて、それぞれ第１面１０１（第１筐体面）と、第２面１０２（第２筐体面）とにおける接触状態をそれぞれ検出する構成としてもよい。
ここでいう第１面１０１（第１筐体面）および第２面１０２（第２筐体面）とは、それぞれの面の領域のうち、表示面の領域以外の領域であってもよいし、または、それぞれの面の領域のうち、表示面の領域と表示面の領域以外の領域との両方を含む領域であってもよい。
【０１６８】
なお、電子機器１００は、第１操作入力部３１および第２操作入力部３２のうちの何れか一方を備えた構成であってもよい。また、電子機器１００は、タッチパネル方式以外の操作入力部を備えた構成であってもよい。
【０１６９】
なお、第１表示部２１および第２表示部２２は、液晶ディスプレイを有するものに限られものではなく、例えば、有機ＥＬ（Electro-Luminescence）ディスプレイ、電子ペーパー方式の表示ディスプレイ、２つの透過型表示ディスプレイとその間に配置されている液晶ディスプレイ（透過と非透過とを切替え可能な液晶パネル）とにより構成される表示パネル、等、その他の表示ディスプレイを有するものであってもよい。
【０１７０】
また、上記実施形態の電子機器１００は、携帯情報端末、タブレット型コンピュータ、携帯電話、電子辞書、電子書籍リーダ等、様々な電子機器であってもよい。また、電子機器１００が備えている各表示部の表示領域は、互いに異なる表示面積であってもよい。例えば、第２表示部２２の表示領域は、主操作者であるユーザＡに対面する側の第１表示部２１の表示領域より小さい表示面積の表示領域であってもよい。
【０１７１】
また、上記実施形態における検出部４０および制御部５０が備える各部の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【０１７２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１７３】
以上、この発明の実施形態を図面を参照して詳述してきたが、具体的な構成はこの実施形態に限られるものではなく、この発明の要旨を逸脱しない範囲の設計等も含まれる。
【符号の説明】
【０１７４】
４  音出力部４  通信部、１１  第１撮像部、１２  第２撮像部（撮像部）、２１  第１表示部、２２  第２表示部、３１  第１操作入力部、３２  第２操作入力部、３３  第１表示面接触センサ、３４  第２表示面接触センサ、４０  検出部、４１  視認者検出部、４３  把持位置検出部、５０  制御部、５２  表示制御部、５３  音出力制御部、５４  操作入力制御部、５５  履歴情報生成部、５６  表示情報選択部、５７  情報判定部、収入管理部、１００  電子機器
【図１】
2013190463.tif 000003
【図２】
2013190463.tif 000004
【図３】
2013190463.tif 000005
【図４】
2013190463.tif 000006
【図５】
2013190463.tif 000007
【図６】
2013190463.tif 000008
【図７】
2013190463.tif 000009
【図８】
2013190463.tif 000010
【図９】
2013190463.tif 000011
【図１０】
2013190463.tif 000012
【図１１】
2013190463.tif 000013
【図１２】
2013190463.tif 000014
【図１３】
2013190463.tif 000015
【図１４】
2013190463.tif 000016
【図１５】
2013190463.tif 000017